【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
チューブ式ヒータ（１１）を接合するシステムであって、
加熱可能部分（２０）とコールド部分（２２）とを有し、前記加熱可能部分（２０）は、外側シース（７８）と加熱エレメント（８４）とを含む両端部（８０、８２）を有し、この加熱エレメント（８４）は、前記外側シース（７８）内にあり、前記コールド部分（２２）は、外側シース（８８）とコールドピン（９４）とを含む両端部（９０、９２）を有する、チューブ式ヒータと、
チャンバ（６２）を規定したエンクロージャ（１２）を有し、このエンクロージャ（１２）は、更に、前記チャンバ（６２）と連絡する両開口（５４、６０）を規定している、接合装置（１０）と、
前記チャンバ（６２）中に延入し、前記コールドピン（９４）を溶融して、前記加熱可能部分（２０）とコールド部分（２２）との端部（８０、９０）を互いに溶接することが可能な少なくとも１つの溶接チップ（１２４、１３０）と、
を具備し、
前記加熱可能部分（２０）の一方の端部（８０）と前記コールド部分（２２）の一方の端部（９０）とは、予め定められた深さまで前記両開口（５４、６０）の夫々の中へと方向付けられ、前記少なくとも１つの溶接チップ（１２４、１３０）は、溶融溜り（１２８）を形成する前記コールド部分（２２）の前記端部（９０）の前記コールドピン（９４）に極めて接近して置かれ、前記加熱可能部分（２０）とコールド部分（２２）との前記端部（８０、９０）が接触され、前記溶融溜り（１２８）および前記加熱エレメント（８４）は、前記溶融溜り（１２８）が凝固するとき、これらの間に接続を形成する、システム。
【請求項２】
前記加熱可能部分（２０）およびコールド部分（２２）は、断面が円形である、請求項１に記載のシステム。
【請求項３】
前記溶接チップ（３０）は、タングステン不活性遮蔽ガス（Ｔｕｎｇｓｔｅｎ  Ｉｎｅｒｔ  Ｓｈｉｅｌｄｅｄ  Ｇａｓ）溶接機である、請求項１に記載のシステム。
【請求項４】
前記チャンバ（６２）には、不活性ガスが充填される、請求項１に記載のシステム。
【請求項５】
前記加熱エレメント（８４）および前記コールドピン（９４）は、フィラー材料（８６）によって夫々の外側シース（７８、８８）内のほぼ中心に置かれている、請求項１に記載のシステム。
【請求項６】
前記フィラー材料（８６）は、酸化マグネシウムである、請求項５に記載のシステム。
【請求項７】
前記チャンバ（６２）と連絡状態にあり、前記両開口（５４、６０）と整列される１対のローラ（１６、１８）を更に具備する、請求項１に記載のシステム。
【請求項８】
プラットホーム（３５）が、前記１対のローラ（１６、１８）と整列して前記エンクロージャ（１２）から延出している、請求項７に記載のシステム。
【請求項９】
前記プラットホーム（３５）は、前記両開口（５４、６０）との整列のために形成された溝（５９、６１）を有する、請求項８に記載のシステム。
【請求項１０】
前記コールド部分（２２）を、これに沿って方向付けるために、前記１対のローラ（１６、１８）の上にあるアクチュエータ（２４）を更に具備する、請求項７に記載のシステム。
【請求項１１】
前記少なくとも１つの溶接チップ（１２４、１３０）は、前記加熱可能部分（２０）とコールド部分（２２）との前記端部（８０、９０）の継ぎ目（１３６）に沿って溶接結合を形成することが可能であり、かくしてこれらの間の接合をもたらす、請求項１に記載のシステム。
【請求項１２】
前記少なくとも１つの溶接チップ（３０）は、タングステン不活性遮蔽ガス溶接機を備える、請求項１に記載のシステム。
【請求項１３】
前記少なくとも１つの溶接チップ（１２４、１３０）は、軌道タングステン不活性遮蔽ガス溶接機を備える、請求項１に記載のシステム。
【請求項１４】
加熱可能部分（２０）とコールド部分（２２）とを有するチューブ式ヒータ（１１）を接合する方法であって、前記加熱可能部分（２０）と前記コールド部分（２２）との各々は、各第１および第２の端部（８０、８２、９０、９２）を有する外側シース（７８、８８）を有し、前記加熱可能部分（２０）は、熱を発生させるために加熱エレメント（８４）を有し、前記コールド部分（２２）は、チャンバ（６２）を規定したエンクロージャ（１２）を備える接合装置（１０）を使用して、電流を伝導するためにコールドピン（９４）を有し、前記エンクロージャ（１２）は更に、前記チャンバ（６２）と連絡して両開口（５４、６０）を規定し、少なくとも１つの溶接チップ（１２４、１３０）は前記チャンバ（６２）に延入し、前記少なくとも１つの溶接チップ（３０）は前記コールドピン（９４）を溶融し、前記加熱可能部分（２０）およびコールド部分（２２）の前記第１の端部（８０、９０）を溶接することが可能であり、
（ａ）前記加熱可能部分（２０）の第１の端部（８０）および前記コールド部分（２２）の第１の端部（９０）を予め定められた深さまで各前記両開口を通って互いにそれぞれ方向付けられる工程と、
（ｂ）前記少なくとも１つの溶接チップ（１２４、１３０）を前記コールドピン（９４）に極めて接近して配置する工程と、
（ｃ）前記少なくとも１つの溶接チップ（１２４、１３０）を用いて、前記コールド部分（２２）の前記第１の端部（９０）に沿って前記コールドピン（９４）の部分を溶融する工程と、
（ｄ）前記加熱可能部分（２０）および前記コールド部分（２２）の前記第１の端部（８０、９０）を互いに押圧し、それらの間に継ぎ目（１３６）を形成する工程と、
（ｅ）前記少なくとも１つの溶接チップ（１２４、１３０）を用いて、前記外側シース（７８、８８）の前記継ぎ目（１３６）に沿って溶接して、これらの間に溶接結合（１３４）を形成する工程と、
を具備する、方法。
【請求項１５】
前記工程（ｃ）は、タングステン不活性遮蔽ガス溶接機を使用して行われる、請求項１４に記載の方法。
【請求項１６】
前記工程（ｅ）は、タングステン不活性遮蔽ガス溶接機を使用して行われる、請求項１４に記載の方法。
【請求項１７】
前記工程（ｃ）および工程（ｅ）は不活性ガスの存在状態で行われる、請求項１４に記載の方法。
【請求項１８】
前記加熱エレメント（８４）は、前記加熱可能部分（２０）の全長に沿って中心にコイル巻されている、請求項１４に記載の方法。
【請求項１９】
前記工程（ｅ）は、軌道タングステン不活性遮蔽ガス溶接機を使用して行われる、請求項１４に記載の方法。
【請求項２０】
前記加熱エレメント（８４）の部分は、前記第１の端部（８０）から外方に延出される、請求項１８に記載の方法。
【請求項２１】
前記工程（ｄ）の継ぎ目（１３６）は、前記加熱エレメント（８４）と前記コールドピン（９４）との前記溶融部分（１２８）が互いに接触し、前記コールドピン（９４）が凝固するときに、前記加熱エレメント（８４）と前記コールドピン（９４）との間に接続を形成するように形成される、請求項１４に記載の方法。
【請求項２２】
チューブ式ヒータ（１１）を接合するシステムであって、
加熱可能部分（２０）とコールド部分（２２）とを備え、前記加熱可能部分（２０）は外側シース（７８）と加熱エレメント（８４）とを含む両端部（８０、８２）を有し、前記コールド部分（２２）は外側シース（８８）とコールドピン（９４）とを含む両端部（９０、９２）を有する、チューブ式ヒータ（１１）と、
チャンバ（６２）を規定したエンクロージャ（１２）を有し、前記エンクロージャ（１２）は、更に、前記チャンバ（１２）と連絡する両開口（５４、６０）を規定し、前記両開口（５４、６０）の１つに前記加熱可能部分（２０）が、前記開口（５４、６０）のもう１つに前記コールド部分（２２）が入れられる、接合装置（１０）と、
第１のローラ（１６）と第２のローラ（１８）とを有し、前記エンクロージャ（１２）と連絡する設置部分（１５）と、この設置部分（１５）から延出した配置部分（１７）とを更に有し、前記第１のローラ（１６）および第２のローラ（１８）は前記両開口（５４、６０）と整列されている、ローラアセンブリ（１４）と、
前記エンクロージャ（１２）から延出し、前記加熱可能部分（２０）を溝に沿って運ぶために、前記第１のローラ（１６）と前記第２のローラ（１８）と整列されるように形成された溝（５９、６１）を有する、プラットホーム（３５）と、
前記コールド部分（２２）をそれに沿って方向付けるために、前記配置部分（１７）に沿って前記第１のローラ（１６）と第２のローラ（１８）との間にあるアクチュエータ（２４）と、
前記チャンバ（６２）に延入し、前記コールドピン（９４）を溶融して、前記加熱可能部分（２０）とコールド部分（２２）との端部を互いに接続することが可能な少なくとも１つの溶接チップ（１２４、１３０）と、
を具備し、
前記加熱可能部分（２０）および前記コールド部分（２２）の各端部が、前記両開口（５４、６０）のそれぞれの中に配置されると、前記アクチュエータ（２４）は、前記コールド部分（２２）を方向付け、前記少なくとも１つの溶接チップ（１２４、１３０）は、溶融溜り（１２８）をその上に形成するため前記コールドピン（９４）に極めて接近して置かれ、前記加熱可能部分（２０）とコールド部分（２２）との前記端部（８０、９０）は互いに接触され、前記溶融溜り（１２８）および前記加熱エレメント（８４）は、前記溶融溜り（１２８）が凝固するとき、これらの間に接続を形成する、システム。
【請求項２３】
前記第１のローラ（１６）および第２のローラ（１８）は、回転可能な動きで推し進められ、前記加熱可能部分（２０）およびコールド部分（２２）は、前記設置部分（１５）に沿う対向する回転可能な動きで同時に回転する、請求項２２に記載のシステム。
【請求項２４】
前記少なくとも１つの溶接チップ（１２４、１３０）は、前記加熱可能部分（２０）およびコールド部分（２２）の前記両端部（８０、８２、９０、９２）の継ぎ目（１３６）に沿って溶接結合（１３４）を形成することができて、これらの間に接合をもたらす、請求項２２に記載のシステム。
【請求項２５】
前記ローラアセンブリ（１４）は、前記エンクロージャ（１２）を貫通している、請求項２２に記載のシステム。
【請求項２６】
前記アクチュエータ（２４）は、予め定められた深さまで前記両開口（５４、６０）の１つに前記コールド部分（２２）を駆動し、前記コールド部分（２２）は、前記設置部分（１５）によって回転可能に運ばれる、請求項２２に記載のシステム。
【請求項２７】
前記アクチュエータ（２４）は、前記少なくとも１つの溶接チップ（１２４、１３０）が前記溶融溜り（１２８）をその上に形成するために前記コールドピン（９４）に接触後、前記加熱可能部分（２０）とコールド部分（２２）との端部（８０、８２、９０、９２）を互いに接触するように方向付ける、請求項２６に記載のシステム。
【請求項２８】
チューブ式ヒータ（１２）を接合するシステムであって、
加熱可能部分（２０）とコールド部分（２２）とを備え、前記加熱可能部分（２０）は、外側シース（７８）を有し、この外側シース（７８）の全長をほぼ延在する加熱エレメント（８４）をその中に有し、前記コールド部分（２２）は、外側シース（８８）を有し、前記シース（８８）の全長をほぼ延在するコールドピン（９４）をその中に有する、チューブ式ヒータ（１２）と、
チャンバ（６２）を規定したエンクロージャ（１２）を有し、このエンクロージャ（１２）は、更に、前記チャンバ（６２）と連絡する両開口（５４、６０）を規定し、前記両開口（５４、６０）の１つに前記加熱可能部分（２０）を、前記開口（５４、６０）のもう１つに前記コールド部分（２２）を受容する、接合装置（１０）と、
前記エンクロージャ（１２）から延出し、ノッチ（３７）を有するプラットホーム（３５）と、
前記エンクロージャ（１２）と連絡する設置部分（１５）と、前記プラットホーム（３５）から対向する方向にそれから延出する配置部分（１７）とを有する第１のローラ（１６）および第２のローラ（１８）であり、前記第１のローラ（１６）、第２のローラ（１８）、および前記ノッチ（３７）は、前記両開口（５４、６０）と整列される、第１のローラ（１６）および第２のローラ（１８）と、
前記配置部分（１７）に沿って位置決めされるアクチュエータ（２４）と、
前記チャンバ（６２）に延入する回転可能な溶接チップ（１３０）および固定溶接チップ（１２４）であり、前記回転可能な溶接チップ（１３０）は前記コールドピン（９４）を溶融することが可能であり、前記固定溶接チップ（１２４）は前記加熱可能部分（２０）およびコールド部分（２２）の端部を互いに溶接することが可能である、回転可能な溶接チップ（１３０）および固定溶接チップ（１２４）と、
を具備する、システム。
【請求項２９】
前記加熱可能部分（２０）が前記予め定められた深さまで達すると、前記アクチュエータ（２４）は、前記加熱可能部分（２０）と回転可能な接線接触するように下方に延入するローラ（２０）を含み、前記加熱可能部分（２０）に前記設置部分（１５）に沿う回転可能な動きをさせる、請求項２８に記載のシステム。
【請求項３０】
前記加熱可能部分（２０）およびコールド部分（２２）の各端部（８０、９０）が、前記両開口（５４、６０）のそれぞれに配置されると、前記アクチュエータ（２４）は、溶融溜り（１２８）を形成するための前記回転可能な溶接チップ（１３０）と前記固定溶接チップ（１２４）とに接触するように前記コールド部分（２２）を方向付けることが可能であり、前記溶融溜り（１２８）が形成された後、前記アクチュエータ（２４）が、前記加熱可能部分（２０）およびコールド部分（２２）の端部（８０、９０）を互いに溶接するために、前記固定溶接チップ（１２４）に接触するように前記加熱可能部分（２０）およびコールド部分（２２）を方向付ける、請求項２８に記載のシステム。
【請求項３１】
前記第１のローラ（１６）および第２のローラ（１８）が、前記設置部分（１５）に沿って対向する回転可能な動きで前記加熱可能部分（２０）とコールド部分（２２）が同時に回転するように従動回転可能な動きに置かれ、固定溶接チップ（１２４）が、前記加熱可能部分（２０）およびコールド部分（２２）の前記端部（８０、９０）の継ぎ目（１３６）に沿って溶接結合（１３４）を形成する、請求項２８に記載のシステム。